(57)【要約】【課題】ファクシミリ送信の誤送信を防ぐ技術において、利用者が送信できない理由を容易に判断できるファクシミリ装置を提供する。【解決手段】ファクシミリ装置は、表示装置と、表示装置の表示を用いてファクシミリ送信に関する複数の設定項目の入力を受け付ける入力機能（Ｓ６０４，６１０）と、入力された複数の設定項目の内容が、照合用の情報と一致するか否かを判定する判定機能（Ｓ６１４）と、判定機能の判定結果にしたがって、入力機能が受け付けた複数の設定項目にしたがった設定でファクシミリ送信を実行する処理（Ｓ６１６、Ｓ６１８）、及び入力手段による再入力を実行する処理（Ｓ６０４）のいずれかを実行する処理機能と、この処理機能による再入力時に、入力済の設定項目のうち、照合用の情報と一致しない項目が何かを利用者に報知する報知機能（Ｓ６２０、６２４）とを含む。【選択図】        図６
2010114722.tif 000002
【特許請求の範囲】
【請求項１】
表示装置と、
前記表示装置の表示を用いて、ファクシミリ送信に関する複数の設定項目の入力を受付けるための入力手段と、
前記入力手段により入力された前記複数の設定項目の内容が、照合用の情報と一致するか否かを判定するための判定手段と、
前記判定手段の判定結果にしたがって、前記入力手段が受付けた前記複数の設定項目にしたがった設定でファクシミリ送信を実行する処理と、前記入力手段による再入力を実行する処理とのいずれかを実行するための処理手段と、
前記処理手段による再入力時に、入力済の設定項目のうち、前記照合用の情報と一致しない項目が何かを利用者に報知するための報知手段とを含む、ファクシミリ装置。
【請求項２】
前記報知手段は、前記入力手段による再入力時に、前記照合用の情報と一致しない項目及び一致する項目を、それぞれ異なる態様で前記表示装置に表示するための表示態様変更手段を含む、請求項１に記載のファクシミリ装置。
【請求項３】
前記表示態様変更手段は、前記入力手段による再入力時に、前記照合用の情報と一致しない項目については、前記一致する項目の表示態様を反転した態様で前記表示装置に表示するための反転表示手段を含む、請求項２に記載のファクシミリ装置。
【請求項４】
前記入力手段による入力内容を確認するための情報を所定の媒体上に印刷するための印刷実行手段をさらに含む、請求項１〜請求項３のいずれかに記載のファクシミリ装置。
【請求項５】
前記入力手段を用いて、前記複数の設定項目に関する前記照合用の情報の入力を受付けて記憶するための照合用情報記憶手段をさらに含み、
前記判定手段は、前記入力手段により入力された前記複数の設定項目の内容が、前記照合用情報記憶手段に記憶された照合用の情報と一致するか否かを判定するための手段を含む、請求項１〜請求項４のいずれかに記載のファクシミリ装置。
【請求項６】
前記照合用情報記憶手段は、複数種類の前記照合用の情報を記憶することができ、
前記判定するための手段は、前記入力手段により入力された前記複数の設定項目の内容が、前記照合用情報記憶手段に記憶された前記複数種類の照合用の情報のいずれかと一致するか否かを判定するための手段を含む、請求項５に記載のファクシミリ装置。
【請求項７】
前記処理手段によるファクシミリ送信の実行が行なわれるときに、前記複数種類の照合用の情報のうち、前記入力手段により入力された前記複数の設定項目の内容と一致すると前記判定手段によって判定されたものを削除するための第１の削除手段をさらに含む、請求項６に記載のファクシミリ装置。
【請求項８】
前記複数種類の前記照合用情報のうち、それぞれ照合用情報について予め設定された日時が経過したものを削除するための第２の削除手段をさらに含む、請求項６〜請求項７のいずれかに記載のファクシミリ装置。
【請求項９】
前記複数種類の前記照合用情報のうち、前記照合用情報記憶手段に記憶されてから所定の時間が経過したものを削除するための第２の削除手段をさらに含む、請求項６〜請求項７のいずれかに記載のファクシミリ装置。
【請求項１０】
前記ファクシミリ装置は、前記処理手段によるファクシミリ送信の実行が行なわれるときに、前記複数種類の照合用の情報のうち、前記入力手段により入力された前記複数の設定項目の内容と一致すると前記判定手段によって判定されたものであって、かつ各情報に対してそれぞれ予め設定された日時が経過したものを削除するための第３の削除手段をさらに含む、請求項８に記載のファクシミリ装置。
【請求項１１】
前記ファクシミリ装置は、前記処理手段によるファクシミリ送信の実行が行なわれるときに、前記複数種類の照合用の情報のうち、前記入力手段により入力された前記複数の設定項目の内容と一致すると前記判定手段によって判定されたものであって、かつ前記照合用情報記憶手段に記憶されてから所定の時間が経過したものを削除するための第３の削除手段をさらに含む、請求項９に記載のファクシミリ装置。
【請求項１２】
前記判定手段は、
前記入力手段が前記複数の設定項目の入力を受付けたことに応答して、外部の記憶手段から前記照合用の情報を入手するための照合用情報入手手段と、
前記入力手段により入力された前記複数の設定項目の内容が、前記照合用情報入手手段により入手された照合用の情報と一致するか否かを判定するための手段を含む、請求項１〜請求項４のいずれかに記載のファクシミリ装置。
【請求項１３】
前記外部の記憶手段は、複数種類の前記照合用の情報を記憶することが可能であり、
前記処理手段によるファクシミリ送信の実行が行なわれるときに、前記複数種類の照合用の情報のうち、前記入力手段により入力された前記複数の設定項目の内容と一致すると前記判定手段によって判定されたものを削除するよう指示する削除依頼を前記外部の記憶手段に送信するための手段をさらに含む、請求項１２に記載のファクシミリ装置。
【請求項１４】
前記複数の設定項目は、ファクシミリ送信の送信先番号、ファクシミリ原稿の読取画質、ファクシミリ原稿の原稿サイズ、及びファクシミリ原稿の原稿枚数である、請求項１〜請求項１３のいずれかに記載のファクシミリ装置。
【発明の詳細な説明】
【技術分野】
【０００１】
本発明は、画像データを送信するファクシミリ装置に関し、特に送信データの誤送信防止機能を備えたファクシミリ装置に関する。
【背景技術】
【０００２】
ファクシミリ装置を用いてのデータ送信は、公衆電話回線を用いて行なわれる。そのため、操作者が送信先の入力間違いをし、誤送信が生じる可能性がある。間違った送信先にデータが送信されると、そこから重要な情報が漏洩する危険性がある。そのため、データ送信の際の送信先の確認には十分に気を配る必要がある。
【０００３】
誤送信を防止するために、送信先の番号を複数回入力し、その番号が一致したらデータ送信を行ない、一致しない時は送信を中止する技術が知られている。送信先を複数回入力することで、最初に入力した番号が誤っていた時の誤送信を防ぐことができる。同時に、操作者はメモなどで番号を確認しながら入力するため、番号入力にも十分気を配ることができる。
【０００４】
特許文献１には、ファクシミリ送信において送信相手先の番号を２回入力し、１回目の入力内容と２回目の入力内容とが一致したときに、当該原稿が送信される技術が開示されている。
【特許文献１】特開平２−２０００５８号
【発明の開示】
【発明が解決しようとする課題】
【０００５】
従来の誤送信防止技術では、送信先番号のみを対象にして複数回入力し確認を取っている。さらに厳しく誤送信を防止する方法としては、送信先番号に加えて送信に関する設定項目を増やすことが考えられる。複数回送信設定情報を入力し、送信先番号を含む設定項目の全てが一致することをファクシミリ送信実行の条件とすれば、送信先番号のみのときよりも、より確かに誤送信を防止することが期待できる。
【０００６】
このとき問題となるのは、複数回送信設定情報を入力する時に操作者が入力ミスを起こした時である。設定項目が増加すると、入力ミスが生じる可能性が高くなる。操作者はファクシミリ送信が実行されない時、送信できない原因がどの入力に起因するものなのかわからないという問題点があった。
【０００７】
特許文献１の技術は、送信先番号のみを対象にする技術である。また、１回目と２回目の入力内容が一致しない場合、送信先番号の入力を再度促すものであり、問題点を解決するには十分ではない。
【０００８】
それゆえに、本発明の目的は、ファクシミリ送信の誤送信を防ぐ技術において、操作者が送信できない理由を容易に判断することができるファクシミリ装置を提供することである。
【課題を解決するための手段】
【０００９】
本発明の第１の局面に係るファクシミリ装置は、表示装置と、表示装置の表示を用いて、ファクシミリ送信に関する複数の設定項目の入力を受付けるための入力手段と、入力手段により入力された複数の設定項目の内容が、照合用の情報と一致するか否かを判定するための判定手段と、判定手段の判定結果にしたがって、入力手段が受付けた複数の設定項目にしたがった設定でファクシミリ送信を実行する処理と、入力手段による再入力を実行する処理とのいずれかを実行するための処理手段と、処理手段による再入力時に、入力済の設定項目のうち、照合用の情報と一致しない項目が何かを利用者に報知するための報知手段とを含む。
【００１０】
このファクシミリ装置においては、入力手段によりファクシミリ送信に関する複数の設定項目が入力される。判定手段は、入力された複数の設定項目の内容が照合用の情報と一致するか否かを判定する。処理手段は、判定手段による判定結果にしたがって、入力された複数の設定項目にしたがった設定でファクシミリ送信を実行する処理、又は入力手段による再入力を実行する処理を実行する。また、処理手段による再入力時には、報知手段が、入力済の設定項目のうち、照合用の情報と一致しない項目が何かを利用者に報知する。
【００１１】
このファクシミリ装置においては、入力するファクシミリ送信に関する複数の設定項目の内容が、照合用の情報と一致しないとき、入力済みの設定項目のうち、照合用の情報と一致しない項目は何かが利用者に対して報知される。利用者はその報知を確認し、誤った箇所を確実に認識できる。その結果、ファクシミリ送信の誤送信を防ぐ技術において、利用者が送信できない理由を容易に判断することができるファクシミリ装置を提供することができる。
【００１２】
好ましくは、報知手段は、入力手段による再入力時に、照合用の情報と一致しない項目及び一致する項目を、それぞれ異なる態様で表示装置に表示するための表示態様変更手段を含む。
【００１３】
表示態様変更手段が、再入力時に、照合用の情報と一致しない項目及び一致する項目を、それぞれ異なる態様で表示装置に表示する。操作者は、入力した項目のうちどの項目が照合用の情報と一致しなかったのかを簡単に把握することができる。その結果、操作者は送信できない理由を容易に判断することができる。
【００１４】
より好ましくは、表示態様変更手段は、入力手段による再入力時に、照合用の情報と一致しない項目については、一致する項目の表示態様を反転した態様で表示装置に表示するための反転表示手段を含む。
【００１５】
反転表示手段は、入力した情報が照合用の情報と一致しない項目は、一致する項目の表示態様を反転した態様で表示する。その結果、操作者に対して、入力済の設定項目のうち照合用の情報と一致しない項目が何かを明確に報知することができる。
【００１６】
好ましくは、ファクシミリ装置は、入力手段による入力内容を確認するための情報を所定の媒体上に印刷するための印刷実行手段をさらに含む。
【００１７】
印刷実行手段により所定の媒体上に入力内容を確認するための情報の印刷を行なう。その結果、利用者は、入力内容の確認をより綿密に行なうことができる。
【００１８】
好ましくは、ファクシミリ装置は、入力手段を用いて、複数の設定項目に関する照合用の情報の入力を受付けて記憶するための照合用情報記憶手段をさらに含む。判定手段は、入力手段により入力された複数の設定項目の内容が、照合用情報記憶手段に記憶された照合用の情報と一致するか否かを判定するための手段を含む。
【００１９】
照合用情報記憶手段は、入力手段を用いて、複数の設定項目に関する照合用の入力を受付けて記憶する。判定するための手段は、入力手段により入力された複数の設定項目の内容が照合用情報記憶手段に記憶された照合用の情報と一致するか否かを判定する。照合用記憶手段は、あらかじめ照合用の入力を記憶する。比較手段は、実際にファクシミリを実行する時に入力された設定項目の内容が予め入力されたものと一致するかを比較する。複数の設定項目からなる照合用の情報があらかじめ記憶されるため、複数回入力操作を行ないファクシミリ送信の誤送信を防ぐ技術において作業効率を向上させることができる。
【００２０】
より好ましくは、照合用情報記憶手段は、複数種類の照合用の情報を記憶することができ、判定するための手段は、入力手段により入力された複数の設定項目の内容が、照合用情報記憶手段に記憶された複数種類の照合用の情報のいずれかと一致するか否かを判定するための手段を含む。
【００２１】
照合用情報記憶手段は複数種類の照合用の情報を記憶することができる。判定するための手段は、入力された設定項目の内容が、照合用情報記憶手段に記憶されている複数種類の照合用の情報のいずれかと一致するか否かを判定する。複数の設定項目からなる照合用の情報をあらかじめまとめて複数種類記憶させることができ、いずれかと一致すれば送信が行なえる。種々の条件でファクシミリ送信が行なわれる環境において、ファクシミリ送信の誤送信を防ぐ際の作業効率を向上させることができる。
【００２２】
好ましくは、ファクシミリ装置は、処理手段によるファクシミリ送信の実行が行なわれるときに、複数種類の照合用の情報のうち、入力手段により入力された複数の設定項目の内容と一致すると判定手段によって判定されたものを削除するための第１の削除手段をさらに含む。
【００２３】
第１の削除手段は、処理手段によるファクシミリ送信の実行が行なわれるとき、複数種類の照合用の情報のうち、入力手段により入力された複数の設定項目の内容と一致すると判定されたものを削除する。その結果、複数種類の照合用のデータのうち、ファクシミリ送信が実行されたものに関しては削除が行なわれる。不要になった照合用の情報が多数蓄積されてしまうことが防止できる。また、誤った入力が偶然にも照合用の情報と一致し、誤送信が発生することを防ぐことができる。
【００２４】
より好ましくは、ファクシミリ装置は、複数種類の照合用情報のうち、それぞれの照合用情報について予め設定された日時が経過したものを削除するための第２の削除手段をさらに含む。
【００２５】
第２の削除手段は、複数種類の照合用情報のうち、それぞれの照合用情報に予め設定された日時が経過した情報を削除する。その結果、照合用情報で設定時に定めた日時が経過したものは消去され、あらかじめ送信期限として設定した日以降の送信を防ぐことができる。
【００２６】
より好ましくは、ファクシミリ装置は、複数種類の照合用情報のうち、照合用情報記憶手段に記憶されてから所定の時間が経過したものを削除するための第２の削除手段をさらに含む。
【００２７】
第２の削除手段は、複数種類の照合用情報のうち、照合用情報記憶手段に記憶されてから所定の時刻が経過したものを削除する。その結果、照合用情報記憶手段に記憶された照合用情報で所定の時刻が経過したものは消去され、不要になった照合用の情報が多数蓄積されてしまうことが防止できる。また、誤った入力が偶然にも照合用の情報と一致し、誤送信が発生することを防ぐことができる。
【００２８】
好ましくは、ファクシミリ装置は、処理手段によるファクシミリ送信の実行が行なわれるときに、複数種類の照合用の情報のうち、入力手段により入力された複数の設定項目の内容と一致すると判定手段によって判定されたものであって、かつ各情報に対してそれぞれ予め設定した日時が経過したものを削除するための第３の削除手段をさらに含む。
【００２９】
第３の削除手段は、ファクシミリ送信の実行が行なわれるときに、複数種類の照合用の情報のうち、入力手段により入力された複数の設定項目の内容と一致すると判定手段によって判定されたものであって、かつ各情報に対して予め設定した日時が経過したものを削除する。
【００３０】
何度も同じ設定項目の内容でファクシミリ送信を行なう必要があるときなどは、利用者は、ファクシミリ送信後に送信設定が削除されないように有効期限の日時を設定する。その結果、有効期限内は送信設定を再度設定する手間を省くことができる。また、有効期限の日時が過ぎた設定に関しては、ファクシミリ送信後に削除される。その結果、あらかじめ送信期限として設定した日以降の送信を防ぐことができる。
【００３１】
好ましくは、ファクシミリ装置は、処理手段によるファクシミリ送信の実行が行なわれるときに、複数種類の照合用の情報のうち、入力手段により入力された複数の設定項目の内容と一致すると判定手段によって判定されたものであって、かつ照合用情報記憶手段に記憶されてから所定の時間が経過したものを削除するための第３の削除手段をさらに含んでもよい。
【００３２】
照合用情報記憶手段に記憶されてから所定の時間が経過したものを削除することで、送信期限の設定を行なわずに設定登録を行なった際でも、登録から所定の時間が経過したものはファクシミリ送信後に削除される。その結果、個別に送信期限を設定する際の手間を省くことができる。
【００３３】
好ましくは、判定手段は、入力手段が複数の設定項目の入力を受付けたことに応答して、外部の記憶手段から照合用の情報を入手するための照合用情報入手手段と、入力手段により入力された複数の設定項目の内容が、照合用情報入手手段により入手された照合用の情報と一致するか否かを判定するための手段を含む。
【００３４】
照合用情報入手手段は、入力手段が複数の設定項目の入力を受付けたことに応答して、外部の記憶手段から照合用の情報を入手する。判定手段は、入力手段により入力された複数の設定項目の内容が、照合用情報入手手段により入手された照合用の情報と一致するか否かを判定する。
【００３５】
照合用情報入手手段を設けることによって、照合用の情報の入力作業が、記憶手段を備えた外部の装置で行なえるようになる。その外部の装置を複数のファクシミリ装置で共同して使用することができる。その外部の装置に照合用の情報を集中させることができ、業務の効率化を図ることができる。
【００３６】
好ましくは、外部の記憶手段は、複数種類の照合用の情報を記憶することが可能である。ファクシミリ装置は、処理手段によるファクシミリ送信の実行が行なわれるときに、複数種類の照合用の情報のうち、入力手段により入力された複数の設定項目の内容と一致すると判定手段によって判定されたものを削除するよう指示する削除依頼を外部の記憶手段に送信するための手段をさらに含む。
【００３７】
外部の記憶手段は、複数種類の照合用の情報を記憶する。また、ファクシミリ送信の実行が行なわれるときに、複数種類の照合用の情報のうち、入力手段により入力された複数の設定項目の内容と一致すると判定手段によって判定されたものを削除するよう指示する削除依頼を外部の記憶手段に送信する。その結果、外部の記憶手段に記憶された複数種類の照合用のデータのうち、ファクシミリ送信が実行されたものに関しては指示にしたがって削除が行なわれる。不要になった照合用の情報が多数蓄積されてしまうことが防止できる。また、誤った入力が外部の記憶手段に記憶された照合用の情報と偶然にも一致し、誤送信が発生することを防ぐことができる。
【００３８】
好ましくは、複数の設定項目は、ファクシミリ送信の送信先番号、ファクシミリ原稿の読取画質、ファクシミリ原稿の原稿サイズ、及びファクシミリ原稿の原稿枚数である。
【００３９】
設定項目として、ファクシミリ送信の送信先番号のほか、ファクシミリ原稿の読取画質、ファクシミリ原稿の原稿サイズ、及びファクシミリ原稿の原稿枚数などを含む。これらすべてが一致することをファクシミリ送信実行のための条件とすれば、送信先番号のときよりもより確かに誤送信を防止することが期待できる。
【発明の効果】
【００４０】
以上のように、ファクシミリ装置は、入力手段により入力された複数の設定項目の内容が、照合用の情報と一致するか否かを判定するための判定手段と、判定結果にしたがって入力手段による再入力が実行される時に、入力済の設定項目のうち、照合用の情報と一致しない項目が何かを利用者に報知するための報知手段とを備える。この報知手段により、予め入力された照合用の情報と、入力した複数の設定項目の内容とで一致しない項目が明確になり、操作者は入力設定においてどの部分を間違えたかを把握することができる。
【００４１】
その結果、ファクシミリ送信の誤送信を防ぐ技術において、操作者が送信できない理由を容易に判断することができるファクシミリ装置を提供することができる。
【発明を実施するための最良の形態】
【００４２】
以下の説明及び図面においては、同一部品には同じ参照符号および名称を付してある。それらの機能も同様である。したがって、それらについての詳細な説明は繰返さない。
【００４３】
［第１の実施の形態］
―構成―
図１は、第１の実施の形態に係るファクシミリ装置３０を含む、データ通信システム２０の全体構成を表す模式図である。
【００４４】
図１を参照して、ファクシミリ装置３０は電話回線網２２に接続される。データ通信システム２０はさらに、電話回線網２２に接続された送信先ファクシミリ装置２４を含む。
【００４５】
図２は、本実施の形態に係るファクシミリ装置３０の構成を表すブロック図である。
【００４６】
図２を参照して、ファクシミリ装置３０は、ＣＰＵ（Ｃｅｎｔｒａｌ  Ｐｒｏｃｅｓｓｉｎｇ  Ｕｎｉｔ）で構成されファクシミリ装置全体の制御を行なうための制御部３２と、制御部３２に接続されたバス５８と、原稿画像を読取るための画像読取部３４と、記録紙に画像データを出力するための画像出力部３６と、画像読取部３４で読取った画像から送信ファクシミリ用画像データを作成するための画像処理部４４と、操作者からの入力指示を受付けるための操作パネル５０と、読取った画像データを符号化し、受信した符号化データを元の画像データに復号化するための符号化復号化部５２と、符号化された状態の画像データを記憶するための画像蓄積部５４とを含む。
【００４７】
ファクシミリ装置３０はさらに、ＬＡＮ（Ｌｏｃａｌ  Ａｒｅａ  Ｎｅｔｗｏｒｋ）に接続するためのＬＡＮインターフェイス５６と、電話回線網と接続され回線の制御を行なうための網制御部４６と、電話回線網と接続しファクシミリ通信を行なうためのファクシミリモデム４８とを含む。
【００４８】
ファクシミリ装置はさらに、操作パネル５０からの入力を受け、入力された送信設定情報を記憶するための入力情報記憶部３８と、入力された情報と入力情報記憶部３８に記憶された情報とを比較するための入力情報比較部４０と、ファクシミリ装置３０に設定された情報を記憶するための設定記憶部４２とを含む。画像読取部３４と、画像出力部３６と、画像処理部４４と、操作パネル５０と、符号化復号化部５２と、画像蓄積部５４と、ＬＡＮインターフェイス５６と、網制御部４６と、ファクシミリモデム４８と、入力情報記憶部３８と、入力情報比較部４０と、設定記憶部４２とはバス５８を介して接続されており、全体の制御は制御部３２によって行なわれる。
【００４９】
図３は、操作パネル５０を表す図である。操作パネル５０は各種ハードウェアキーからなる操作部６２と、液晶ディスプレイ及びタッチパネルにより構成される表示部６０とを含む。操作部６２は、数値入力のためのテンキー６４と、入力した設定値をクリアするためのクリアキー６６と、入力した各種設定を全解除するための全解除キー６８と、スタートキー７０とを含む。
【００５０】
図４は、表示部６０に表示される、ファクシミリ送信における情報入力画面８０を示す図である。
【００５１】
図４を参照して、情報入力画面８０は、送信先番号を入力する送信先番号表示８２と、送信原稿を読取る時の読取解像度を設定する画質設定表示８４と、送信原稿の原稿サイズを設定する原稿サイズ表示８６と、送信原稿枚数を入力する送信原稿枚数入力表示８８と、入力エラーが発生した時にエラー内容を記録紙に印字するか否かを設定するための入力エラー印字設定表示９０とを含む。
【００５２】
送信先番号表示８２及び送信原稿枚数入力表示８８には、表示をタッチして選択し、テンキー６４を用いて送信先番号及び送信原稿枚数をそれぞれ入力する。画質設定表示８４及び原稿サイズ表示８６は、表示の三角部分をタッチして表示されるリストの中からそれぞれ所望の設定を選択する。画質設定で選択できる設定は、標準、高画質、超高画質の内のいずれかである。原稿サイズで選択できる設定は、Ａ４、Ｂ５、Ａ５、Ｂ６、はがきの内のいずれかである。入力エラー印字設定表示９０は、タッチされる毎に印字設定のＯＮとＯＦＦとを切替える。図４の例では、送信先番号には「０３３２１００１２３」が、画質には「標準」が、原稿サイズには「Ａ４」が、送信原稿枚数には「５」がそれぞれ設定されている。これらの設定は入力情報記憶部３８に記憶される。また、入力エラー印字設定には「ＯＮ」が設定されている。この情報は、設定記憶部４２に記憶される。
【００５３】
図５は、表示部６０に表示される、ファクシミリ送信情報の情報再入力画面１００を示す図である。情報再入力画面１００は、情報入力画面８０で各項目を設定した後設定内容を記録し、再度操作者に送信先番号、画質、原稿サイズ、送信原稿枚数の各項目を手動で入力設定させるための画面である。
【００５４】
図５の例では、送信先番号には「０３３２２００１２４」が、画質には「標準」が、原稿サイズには「Ｂ５」が、送信原稿枚数には「５」が設定されている。
【００５５】
詳細については後述するが、ファクシミリ装置３０は、情報入力画面８０で設定された送信先番号、画質、原稿サイズ、送信原稿枚数の各値と、情報再入力画面１００で入力設定された値とを比較し、異なる設定があった場合は、異なる設定項目を図５のように白黒反転して情報再入力画面１００を再表示する。図４及び図５を例にすると、送信先番号と原稿サイズの設定とが異なる。そのため、原稿サイズ表示８６は白黒反転表示をする。送信先番号表示８２は背景色が変わり、入力した送信先番号で異なった部分が白抜き文字で表示される。
【００５６】
図６は、ファクシミリ装置３０の制御部３２で実行され、送信先確認動作を行ない、ファクシミリ送信を実行するまでのプログラムの制御構造をフローチャート形式で表わす図である。このプログラムは、操作者が画像読取部３４に原稿をセットした時に実行される。
【００５７】
図６を参照して、このプログラムは、操作者によって画像読取部３４に読取原稿がセットされたことを検知するステップＳ６０２と、ステップＳ６０２に続き、情報入力画面８０を表示し、ファクシミリ送信設定の入力を受けるステップＳ６０４と、ステップＳ６０４に続き、スタートキー７０が押されたか否かを判定し、判定結果に応じて制御の流れを分岐させるステップＳ６０６と、ステップＳ６０６でスタートキー７０が押されたと判定された場合（ＹＥＳの場合）に実行され、ステップＳ６０４で入力されたファクシミリ送信情報を入力情報記憶部３８に記憶するステップＳ６０８と、ステップＳ６０８に続き、情報再入力画面１００を表示し、再度ファクシミリ送信設定の入力を受けるステップＳ６１０と、ステップＳ６１０に続き、スタートキー７０が押されたか否かを判定し、判定結果に応じて制御の流れを分岐させるステップＳ６１２と、ステップＳ６１２でスタートキー７０が押されたと判定された場合（ＹＥＳの場合）に実行され、ステップＳ６０４で入力された送信設定とステップＳ６１０で入力された送信設定とが一致するか否かを判定し、判定結果に応じて制御の流れを分岐させるステップＳ６１４とを含む。ステップＳ６０６で、スタートキー７０が押されていないと判定された場合（ＮＯの場合）、制御はステップＳ６０６に戻り、スタートキー７０が押されるのを待つ。ステップＳ６１２で、スタートキー７０が押されていないと判定された場合（ＮＯの場合）、制御はステップＳ６１２に戻り、スタートキー７０が押されるのを待つ。
【００５８】
このプログラムはさらに、ステップＳ６０４で入力された送信設定とステップＳ６１０で入力された送信設定とが一致するとステップＳ６１４で判定された場合（ＹＥＳの場合）に実行され、画像読取部３４で送信原稿を読取るステップＳ６１６と、ステップＳ６１６に続き、読取った原稿を設定された送信先番号にファクシミリ送信するステップＳ６１８とを含む。ステップＳ６１８実行後、このプログラムは終了する。
【００５９】
このプログラムはさらに、ステップＳ６０４で入力された送信設定とステップＳ６１０で入力された送信設定とが一致しないとステップＳ６１４で判定された場合（ＮＯの場合）に実行され、ステップＳ６０４で入力された送信設定とステップＳ６１０で入力された送信設定とで、異なる部分を反転表示するステップＳ６２０と、ステップＳ６２０に続き、入力エラー発生時の印字設定がＯＮとなっているか否かを判定し、判定結果に応じて制御の流れを分岐させるステップＳ６２２と、ステップＳ６２２で、入力エラー発生時の印字設定がＯＮとなっていると判定された場合（ＹＥＳの場合）に実行され、入力エラー表示画面の印刷を行なうステップＳ６２４とを含む。ステップＳ６２２で入力エラー発生時の印字設定がＯＮとなっていないと判定された場合（ＮＯの場合）、及びステップＳ６２４実行後、制御はステップＳ６０４に進む。
【００６０】
―動作―
第１の実施の形態に係るデータ通信システム２０は、以下のように動作する。
【００６１】
送信元であるファクシミリ装置３０は、操作者により原稿がセットされ、情報入力画面８０から送信先番号を含む送信設定の入力を受け、スタートキーが押されると、入力された送信設定を入力情報記憶部３８に記憶する（ステップＳ６０２、６０４、６０６、６０８）。入力情報記憶部３８に入力された送信設定を記憶後、ファクシミリ装置３０は情報再入力画面１００を表示し、操作者から再度送信先番号を含む送信設定の入力を受ける（ステップＳ６１０）。また、操作者は、情報入力画面８０又は情報再入力画面１００で送信設定を入力する時、入力エラー印字設定表示９０をタッチし、入力エラーが発生した時にエラー画面を印字するか否かを設定する。
【００６２】
ファクシミリ装置３０は、情報再入力画面１００で送信設定入力後、スタートキーが押されると、情報入力画面８０で入力された送信設定と情報再入力画面１００で入力された送信設定とが一致するかを判定する（ステップＳ６１２、６１４）。この時、参照される項目は送信先番号、画質設定、原稿サイズ、及び送信原稿枚数である。これらが全て一致した場合、ファクシミリ装置３０は、画像読取部３４で送信原稿の読取を行ない、送信先番号に対して電話回線網２２を経由してファクシミリ送信を行なう。（ステップＳ６１６、６１８）。
【００６３】
情報入力画面８０で入力された送信設定と情報再入力画面１００で入力された送信設定とが一致しなかった場合、ファクシミリ装置３０は、１回目と２回目の入力とで異なる設定項目を反転表示する（ステップＳ６２０）。また、入力エラー時のエラー画面の印字設定がされている時は、画像出力部３６からエラー画面を印刷する（ステップＳ６２２、６２４）。その後、ファクシミリ装置３０は、情報入力画面８０を表示し操作者に送信設定の入力を促す。
【００６４】
以上のように、第１の実施の形態に係るファクシミリ装置３０では、操作者に送信設定として、送信先番号、ファクシミリ原稿の読取画質設定、読取原稿サイズ、及び送信原稿枚数を２度入力させる。１度目の入力と２度目の入力とで設定内容が全て一致する場合は、ファクシミリ装置３０は設定内容にしたがって送信原稿の読取を行ない、ファクシミリ送信を実行する。１度目の入力と２度目の入力とで設定内容が異なる場合は、図５に示すように設定内容が異なる項目を白黒反転させ、操作者にわかるように画面表示をする。また、入力エラー時の印字設定がされている場合には、入力エラー画面の印刷を行なう。この表示により、操作者は送信設定を入力するときにどの部分で入力を間違ったかを確認することができる。その結果、ファクシミリ送信の誤送信を防ぐ技術において、操作者が送信できない理由を容易に判断することができるファクシミリ装置を提供することができる。
【００６５】
［第２の実施の形態］
第２の実施の形態では、設定用ファクシミリ装置１２２に予め送信設定を入力し記憶させる。ファクシミリ装置１２０は、操作者により入力された送信設定情報と、設定用ファクシミリ装置１２２に記憶された送信設定情報とを比較し、送信設定が一致した時に原稿読取及びファクシミリ送信を行なう。一致しなかった場合には、送信設定で異なる部分を反転表示する。ファクシミリ送信後、ファクシミリ装置１２０は該当した送信設定情報を削除するよう設定用ファクシミリ装置１２２に指示を出し、設定用ファクシミリ装置１２２はファクシミリ送信を行なった送信設定情報を削除する。また、設定用ファクシミリ装置１２２は、記憶されている送信設定の中で設定情報を保存する期間が過ぎている設定情報の削除を行なう。
【００６６】
―構成―
図７は、第２の実施の形態に係るファクシミリ装置１２０を含む、データ通信システム１１０の全体構成を表す模式図である。
【００６７】
図７を参照して、ファクシミリ装置１２０はＬＡＮ１２４及び電話回線網１２６に接続される。データ通信システム２０はさらに、ＬＡＮ１２４に接続された設定用ファクシミリ装置１２２を含む。電話回線網１２６にはさらに、送信先ファクシミリ装置１２８が接続される。
【００６８】
第２の実施の形態において、ファクシミリ装置１２０及び設定用ファクシミリ装置１２２のハードウェア構成はファクシミリ装置３０と同一であり、ファクシミリ装置１２０及び設定用ファクシミリ装置１２２それぞれの制御部３２で実行されるプログラムが異なっている。なお、第２の実施の形態において、設定用ファクシミリ装置１２２はＬＡＮインターフェイス５６を介してＬＡＮ１２４に接続される。ファクシミリ装置１２０はＬＡＮインターフェイス５６を介してＬＡＮ１２４と、網制御部４６を介して電話回線網１２６とに接続される。
【００６９】
図８は、設定用ファクシミリ装置１２２の制御部３２で実行され、操作者による送信設定の入力を受付け、入力情報記憶部３８に入力された送信設定を記憶するプログラムの制御構造をフローチャート形式で表す図である。このプログラムは、操作者が情報入力画面８０を表示させた時に実行される。
【００７０】
図８を参照して、このプログラムは、情報入力画面８０を表示しファクシミリ送信設定の入力を受けるステップＳ８０２と、ステップＳ８０２に続き、スタートキー７０が押されたか否かを判定し、判定結果に応じて制御の流れを分岐させるステップＳ８０４と、ステップＳ８０４でスタートキー７０が押されたと判定された場合（ＹＥＳの場合）に実行され、入力された送信設定を入力情報記憶部３８に記憶するステップＳ８０６と、ステップＳ８０６に続き、表示部６０に「設定入力を終了するか？」というダイアログを表示し、操作者からの指示を受付け、操作者から終了するという指示を受けたか否かを判定し、判定結果に応じて制御の流れを分岐させるステップＳ８０８とを含む。ステップＳ８０４でスタートキーが押されていないと判定された場合（ＮＯの場合）、制御はステップＳ８０４に戻り、スタートキー７０が入力されるのを待つ。ステップＳ８０８で、終了するという指示を受けていないと判定された場合（ＮＯの場合）、制御はステップＳ８０２に進み、送信設定の登録を続ける。ステップＳ８０８で、終了するという指示を受けたと判定された場合（ＹＥＳの場合）、このプログラムは終了する。
【００７１】
ステップＳ８０２で設定するファクシミリ送信設定では、送信先番号、画質設定、原稿サイズ、送信原稿枚数、及び入力エラー時の印字設定の有無を設定する。第２の実施の形態ではさらに、入力されたそれぞれの送信設定に対し、一定期日まで設定情報を保存するための日時を設定して登録する。なお、ファクシミリ送信実行後にすぐに送信設定を削除する場合は、日時に「ＸＸ月ＸＸ日」と設定する。
【００７２】
図９は、設定用ファクシミリ装置１２２の制御部３２で実行され、入力情報記憶部３８に記憶されている送信設定情報で、削除指示を受けた送信設定情報を削除するプログラムの制御構造をフローチャート形式で表す図である。このプログラムは、後述するファクシミリ装置１２０で実行される図１１のプログラムにおいて、設定情報の削除指示を送信するステップＳ１０１８が実行され、設定用ファクシミリ装置１２２が削除指示を受信した時に実行される。
【００７３】
図９を参照して、このプログラムは、ファクシミリ装置１２０から送信される設定情報の削除指示を受信するステップＳ９０２と、ステップＳ９０２に続き、設定情報を保存するための日時設定が「ＸＸ月ＸＸ日」に設定されているか否かを判定し、判定結果によって制御の流れを分岐させるステップＳ９０４と、ステップＳ９０４で、日時設定がＸＸ月ＸＸ日ではないと判定された場合（ＮＯの場合）に実行され、削除指示を受けた設定情報が設定を保存する期間内であるか否かを判定し、判定結果によって制御の流れを分岐させるステップＳ９０６と、ステップＳ９０６で、設定を保存する期間内ではないと判定された場合（ＮＯの場合）に実行され、受信した削除指示で指示された送信設定を入力情報記憶部３８から削除するステップＳ９０８とを含む。ステップＳ９０４で日時設定がＸＸ月ＸＸ日であると判定された場合（ＹＥＳの場合）、ステップＳ９０８が実行される。ステップＳ９０６で設定を保存する期間内であると判定された場合（ＹＥＳの場合）、及びステップＳ９０６実行後、このプログラムは終了する。
【００７４】
図１０は、設定用ファクシミリ装置１２２の制御部３２で実行され、入力情報記憶部３８に記憶されている送信設定情報で、設定情報を保存する期間が過ぎている送信設定情報を削除するプログラムの制御構造をフローチャート形式で表す図である。このプログラムは、操作者により設定された所定の時刻に毎日実行される。
【００７５】
図１０を参照して、このプログラムは、入力情報記憶部３８に記憶されている送信設定の中で、設定情報を保存する期間を過ぎている送信設定があるか否かを判定し、判定結果に応じて制御の流れを分岐させるステップＳ９５０と、ステップＳ９５０で保存する期間を過ぎている送信設定があると判定された場合（ＹＥＳの場合）に実行され、該当する送信設定情報を入力情報記憶部３８から削除するステップＳ９５２とを含む。ステップＳ９５０で、保存する期間を過ぎている送信設定がないと判定された場合（ＮＯの場合）、又はステップＳ９５２を実行後、このプログラムは終了する。
【００７６】
図１１は、ファクシミリ装置１２０の制御部３２で実行され、ネットワーク上にある設定用ファクシミリ装置１２２を用いて送信先確認動作を行ない、ファクシミリ送信を実行するまでのプログラムの制御構造をフローチャート形式で表す図である。このプログラムは、操作者が画像読取部３４に原稿をセットした時に実行される。
【００７７】
図１１を参照して、このプログラムは、操作者によって画像読取部３４に読取原稿がセットされたことを検知するステップＳ１００２と、ステップＳ１００２に続き、情報入力画面８０を表示し、ファクシミリ送信設定の入力を受けるステップＳ１００４と、ステップＳ１００４に続き、スタートキー７０が押されたか否かを判定し、判定結果に応じて制御の流れを分岐させるステップＳ１００６と、ステップＳ１００６でスタートキー７０が押されたと判定された場合（ＹＥＳの場合）に実行され、ステップＳ１００４で入力されたファクシミリ送信情報を入力情報記憶部３８に記憶するステップＳ１００８とを含む。ステップＳ１００６でスタートキー７０が押されていないと判定された場合（ＮＯの場合）、制御はステップＳ１００６に戻りスタートキー７０が押されるのを待つ。
【００７８】
このプログラムはさらに、ステップＳ１００８に続き、ＬＡＮ１２４に接続された設定用ファクシミリ装置１２２から送信設定情報を入手するステップＳ１０１０と、ステップＳ１０１０に続き、ステップＳ１００４で入力した情報とステップＳ１０１０で入手した情報とで一致する情報があるか否かを判定し、判定結果に応じて制御の流れを分岐させるステップＳ１０１２と、ステップＳ１０１２で一致する情報があると判定された場合（ＹＥＳの場合）に実行され、画像読取部３４で送信原稿を読取るステップＳ１０１４と、ステップＳ１０１４に続き、読取った原稿を設定された送信先番号にファクシミリ送信するステップＳ１０１６と、ステップＳ１０１６に続き、一致した設定情報を削除するように設定用ファクシミリ装置１２２に指示を送信するステップＳ１０１８とを含む。ステップＳ１０１８実行後、このプログラムは終了する。
【００７９】
このプログラムはさらに、ステップＳ１０１２で、一致する情報がないと判定された場合（ＮＯの場合）に実行され、ステップＳ１００４で入力された送信設定とステップＳ１０１０で入手した送信設定とで、異なる部分を反転表示するステップＳ１０２０と、ステップＳ１０２０に続き、入力エラー発生時の印字設定がＯＮとなっているか否かを判定し、判定結果に応じて制御の流れを分岐させるステップＳ１０２２と、ステップＳ１０２２で、入力エラー発生時の印字設定がＯＮとなっていると判定された場合（ＹＥＳの場合）に実行され、入力エラー表示画面の印刷を行なうステップＳ１０２４とを含む。ステップＳ１０２２で入力エラー発生時の印字設定がＯＮとなっていないと判定された場合（ＮＯの場合）、及びステップＳ１０２４実行後、制御はステップＳ１００４に進む。
【００８０】
ステップＳ１００４で入力した送信設定の送信先番号が、設定用ファクシミリ装置１２２に記憶されていない場合は、ステップＳ１０２０で送信先番号が反転表示され、登録されていないことが操作者に通知される。
【００８１】
―動作―
第２の実施の形態に係るデータ通信システム１１０は、以下のように動作する。
【００８２】
設定用ファクシミリ装置１２２は、情報入力画面８０から送信先番号を含む送信設定の入力を受け、スタートキーが押されると、入力情報記憶部３８に入力された送信設定を記憶する（ステップＳ８０２、８０４、８０６）。設定用ファクシミリ装置１２２は、入力情報記憶部３８に入力された送信設定を記憶後、「設定入力を終了するか？」を問うダイアログを表示し、操作者により終了しないという入力を受けた場合は、次の送信設定の入力を受け送信設定を追加記憶する。終了するという入力を受けた場合は、設定用ファクシミリ装置１２２は、設定入力動作を終了する。
【００８３】
ファクシミリ装置１２０は、操作者により原稿がセットされ、情報入力画面８０から送信先番号を含む送信設定の入力を受け、スタートキーが押されると、入力情報記憶部３８に入力された送信設定を記憶する（ステップＳ１００２、１００４、１００６、１００８）。また、操作者は、情報入力画面８０送信設定を入力する時、入力エラー印字設定表示９０をタッチし、入力エラーが発生した時にエラー画面を印字するか否かを設定する。ファクシミリ装置１２０は、入力された送信設定を入力情報記憶部３８に記憶後、ネットワーク上に接続された設定用ファクシミリ装置１２２から送信設定情報を入手し、ステップＳ１００４で入力した送信設定と一致する情報があるか否かを判定する（ステップＳ１０１０、１０１２）。この時、参照される項目は送信先番号、画質設定、原稿サイズ、及び送信原稿枚数である。これらが全て一致した情報がある場合、ファクシミリ装置１２０は、画像読取部３４で送信原稿の読取を行ない、送信先番号に対して電話回線網１２６を経由してファクシミリ送信を行なう。（ステップＳ１０１４、１０１６）。ファクシミリ送信後、ファクシミリ装置１２０は設定用ファクシミリ装置１２２に対して、該当した設定情報を削除するように削除指示を送信する（ステップＳ１０１８）。
【００８４】
ステップＳ１００４で入力した送信設定が設定用ファクシミリ装置１２２から入手した送信設定情報と一致しなかった場合は、異なる設定項目を反転表示する（ステップＳ１０２０）。例えば、ステップＳ１００４で入力した送信先番号が設定用ファクシミリ装置１２２に記憶されていない場合は、送信先番号表示を反転表示し、番号が登録されていないことを通知する。また、入力エラー時のエラー画面の印字設定がされている時は、画像出力部３６からエラー画面を印刷する（ステップＳ１０２２、１０２４）。その後、ファクシミリ装置３０は、情報入力画面８０を表示し操作者に送信設定の入力を促す。
【００８５】
設定用ファクシミリ装置１２２は、ファクシミリ装置１２０から削除指示を受信したことに応答して、指示された送信設定が設定を保存する期間内であるか否かを判定し、保存期間でない時は指示された送信設定を入力情報記憶部３８から削除する（ステップＳ９０２、９０４、９０６、９０８）。
【００８６】
また、設定用ファクシミリ装置１２２は、操作者によって入力された設定情報に関して、有効期限確認を行なっている。設定用ファクシミリ装置１２２は、操作者により予め設定された時間になると、入力情報記憶部３８に記憶されている送信設定で、設定情報を保存する期間を過ぎている送信設定があるか否かを判定し、該当する送信設定がある場合はその設定を削除する（ステップＳ９５０、９５２）。
【００８７】
以上のように第２の実施の形態では、ＬＡＮ上に接続された設定用ファクシミリ装置１２２を用いて送信設定情報を予め入力しておく。実際に送信を行なうファクシミリ装置１２０は操作者からの送信設定の入力を受け、設定用ファクシミリ装置１２２から送信設定情報を入手し、入力された送信設定が、予め入力された設定情報と一致するかを判定する。
【００８８】
入力された送信設定と予め入力された設定情報とが一致しない場合は、図５に示すように設定内容が異なる項目を白黒反転させ、操作者にわかるように画面表示をする。この時、入力エラー時の印字設定がされている場合には、入力エラー画面の印刷を行なう。この表示により、操作者は予め入力された送信設定とどの部分が異なっているかを確認することができる。その結果、ファクシミリ送信の誤送信を防ぐ技術において、操作者が送信できない理由を容易に判断することができるファクシミリ装置を提供することができる。
【００８９】
ファクシミリ装置１２０で入力された送信設定と、設定用ファクシミリ装置１２２で予め入力された設定情報とが一致する場合は、ファクシミリ装置１２０は、原稿読取を行なってファクシミリ送信を実行する。その後、ファクシミリ装置１２０は、該当した設定情報を削除するよう設定用ファクシミリ装置１２２に指示を出し、設定用ファクシミリ装置１２２はその指示を受け、指示された送信設定を削除する。ファクシミリ送信が終わった後の送信設定を削除すると、再度同じ送信設定でファクシミリ送信を行なおうとした場合は、反転表示のエラー画面が表示され操作者に送信設定が削除されたことが通知される。その結果、同じ送信先に複数回送信する誤送信を防ぐことができる。
【００９０】
設定用ファクシミリ装置１２２に記憶する送信設定をひな形として登録することも可能とする。ひな形として登録する送信設定は、それぞれに設定情報を保存する期間を設定する。各送信設定に対しこの期間中は、ファクシミリ送信後に送信される設定情報の削除指示を受信しても送信設定は削除されない。その結果、繰返しファクシミリ送信を行なう送信先及び送信設定に関して、ファクシミリ送信の度に設定用ファクシミリ装置１２２で送信設定を登録する必要がなくなり、業務の効率化を図ることができる。また、設定情報を保存する期間を設けることで古い送信設定を用いて誤送信確認動作を行なうことを防ぐことができる。
【００９１】
また、送信設定をひな形として登録する際に、設定情報に保存する期間を設定せずに、各送信設定それぞれに設定登録から所定の時間を有効期間としてもよい。所定の時間を有効期間とすることで、個別に保存する期間を設定する手間が省くことができる。また、所定の時間が経過後は設定が削除されることで古い設定を用いて誤送信確認動作を行なうことを防ぐことができる。
【００９２】
また、設定ファクシミリ装置１２２のこれらの機能を、ファクシミリ装置１２０に搭載してもよい。
【００９３】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【００９４】
【図１】第１の実施の形態に係るファクシミリ装置３０を含む、データ通信システム２０の全体構成を表す模式図である。
【図２】本実施の形態に係るファクシミリ装置３０の構成を表すブロック図である。
【図３】操作パネル５０を表す図である。
【図４】表示部６０に表示される、ファクシミリ送信における情報入力画面８０を示す図である。
【図５】表示部６０に表示される、ファクシミリ送信情報の情報再入力画面１００を示す図である。
【図６】ファクシミリ装置３０の制御部３２で実行され、送信先確認動作を行ない、ファクシミリ送信を実行するまでのプログラムの制御構造をフローチャート形式で表わす図である。
【図７】第２の実施の形態に係るファクシミリ装置１２０を含む、データ通信システム１１０の全体構成を表す模式図である。
【図８】設定用ファクシミリ装置１２２の制御部３２で実行され、操作者による送信設定の入力を受付け、送信設定を記憶するプログラムの制御構造をフローチャート形式で表す図である。
【図９】設定用ファクシミリ装置１２２の制御部３２で実行され、削除指示を受けた送信設定情報を削除するプログラムの制御構造をフローチャート形式で表す図である。
【図１０】設定用ファクシミリ装置１２２の制御部３２で実行され、入力情報記憶部３８に記憶されている送信設定情報で、設定情報を保存する期間が過ぎている送信設定情報を削除するプログラムの制御構造をフローチャート形式で表す図である。
【図１１】ファクシミリ装置１２０の制御部３２で実行され、ネットワーク上にある設定用ファクシミリ装置１２２を用いて送信先確認動作を行ない、ファクシミリ送信を実行するまでのプログラムの制御構造をフローチャート形式で表す図である。
【符号の説明】
【００９５】
３０、１２０  ファクシミリ装置
３２  制御部
３４  画像読取部
３６  画像出力部
３８  入力情報記憶部
６０  表示部
７０  スタートキー
８０  情報入力画面
１００  情報再入力画面
１２２  設定用ファクシミリ装置
【図１】
2010114722.tif 000003
【図２】
2010114722.tif 000004
【図３】
2010114722.tif 000005
【図４】
2010114722.tif 000006
【図５】
2010114722.tif 000007
【図６】
2010114722.tif 000008
【図７】
2010114722.tif 000009
【図８】
2010114722.tif 000010
【図９】
2010114722.tif 000011
【図１０】
2010114722.tif 000012
【図１１】
2010114722.tif 000013